(57)【要約】【課題】組み付け性の良好な表示装置を提供する。【解決手段】指針式計器（表示手段）４と、第１の回路基板５と、第２の回路基板６と、ケース体７とを有し、第１，第２の回路基板５，６をケース体７に位置決めし、第１，第２のコネクタ部材５２，６２を挿入接続し、第２の回路基板６をケース体７にネジ止めしてなる表示装置において、第２の回路基板６をケース体７に組み付ける際、第２の回路基板６が位置決めされるより先に第１，第２のコネクタ部材５２，６２の各先端部同志が接触し、且つ両コネクタ部材５２，６２同志が適正挿入状態となった時に第２の回路基板６が位置決めされるように、第２の位置決め保持部７６及び第１，第２のコネクタ部材５２，６２の寸法や位置を設定した。【選択図】  図１
2010151498.tif 000002
【特許請求の範囲】
【請求項１】
所定情報を表示する表示手段と、この表示手段と電気接続される第１の回路基板と、この第１の回路基板に対して間隔を空けて積層され前記第１の回路基板と電気接続される第２の回路基板と、これら第１，第２の回路基板と前記表示手段を結合させるケース体とを有し、前記第１の回路基板に第１の位置決め部と、前記第２の回路基板側に突出する第１のコネクタ部材とを設け、前記第２の回路基板に第２の位置決め部と、第１のネジ孔と、前記第１の回路基板側に突出し前記第１のコネクタ部材に挿入接続される第２のコネクタ部材とを設け、前記ケース体に前記第１の位置決め部を通じて前記第１の回路基板を位置決め保持する第１の位置決め保持部と、前記第２の位置決め部を通じて前記第２の回路基板を位置決め保持する第２の位置決め保持部と、前記第１のネジ孔に対応する第２のネジ孔とを設け、前記第１の位置決め部と前記第１の位置決め保持部とを通じて前記第１の回路基板を前記ケース体に位置決め保持し、このように前記ケース体に位置決め保持された前記第１の回路基板に前記第２の回路基板を重ねることにより前記第１のコネクタ部材に前記第２のコネクタ部材を挿入接続すると共に前記第２の位置決め部を前記第２の位置決め保持部に嵌入することにより前記第２の回路基板を前記ケース体に位置決め保持し、さらに前記第１のネジ孔と前記第２のネジ孔とからなるネジ止め固定部を通じて前記第２の回路基板を前記ケース体にネジ止め固定してなる表示装置において、前記第２の回路基板を前記第１の回路基板が位置決め保持された前記ケース体に組み付ける際、前記第２の回路基板が位置決めされるより先に前記第１，第２のコネクタ部材の各先端部同志が接触し、且つ前記第１，第２のコネクタ部材同志が適正挿入状態となった時に前記第２の回路基板が位置決めされることを特徴とする表示装置。
【請求項２】
前記第２の位置決め部と前記第２の位置決め保持部が前記ネジ止め固定部よりも外側に位置することを特徴とする請求項１記載の表示装置。
【請求項３】
前記第２の位置決め部が孔または切り欠きからなり、前記第２の位置決め保持部が前記第２の位置決め部を嵌入する突出部からなることを特徴とする請求項１記載の表示装置。
【発明の詳細な説明】
【技術分野】
【０００１】
本発明は、例えば車両用計器として適用可能な表示装置に関するものである。
【背景技術】
【０００２】
この種の表示装置として例えば下記特許文献１に記載されているものが知られている。この表示装置は、指針式計器や液晶表示装置等からなり所定情報を表示する表示手段と、この表示手段に電気接続されるフレキシブルな配線板からなる第１の回路基板（表示基板）と、この第１の回路基板に対して間隔を空けて積層されると共に第１の回路基板に電気接続され表示手段を制御する第２の回路基板（制御基板）と、表示手段と第１，第２の回路基板を結合して一体化するケース体と、フレキシブルな配線板からなる第１の回路基板の一部を延出して形成した接続部上に実装された第１のコネクタ部材と、第２の回路基板上に実装された第２のコネクタ部材とを有し、フレキシブルな第１の回路基板と第２のコネクタ部材を通じて第１，第２の回路基板同志を各コネクタ部材を介して電気接続しており、回路基板の構成を第１の回路基板と第２の回路基板とに分離し、各々に第１の回路基板（表示基板）と第２の回路基板（制御基板）とでなる専用の機能を付与することで、電気ノイズに対する耐性強化を図っている。
【０００３】
またこの種の表示装置にあっては、下記特許文献１のごときノイズ対応にかかわる目的以外にも実装スペース上の都合やシステム上の都合から回路基板を分離することがある。このように分離した回路基板を接続する際、下記特許文献１のようにフレキシブル配線板を使用せず、図５，図６に示すように、硬質材料からなる第１，第２の回路基板の各々に第１，第２のコネクタ部材を装着し、第１のコネクタ部材が装着された第１の回路基板に対して第２のコネクタ部材が装着された第２の回路基板を積層することによって、第１のコネクタ部材と第２のコネクタ部材とを挿入接続する構成が採用されることがある。
【０００４】
図５，図６は、本発明の従来例を示すもので、図５は表示装置の断面図（ハッチングは省略）、図６は組み付け途中を示す要部分解断面図（ハッチングは省略）である。これら図において、表示装置は、指針０１と表示板０２と駆動源０３とで所定情報として例えば車速を示す指針式計器（表示手段）０４と、この指針式計器０４と電気接続される第１の回路基板０５と、この第１の回路基板０５に対して間隔を空けて積層され第１の回路基板０５と電気接続される第２の回路基板０６と、これら第１，第２の回路基板０５，０６と指針式計器０５を結合させるケース体０７とを有している。
【０００５】
第１の回路基板０５には、貫通孔からなる第１の位置決め部０５１と、第２の回路基板０６側に突出する第１のコネクタ部材０５２と、後述するケース体０７に突出形成されたボスを挿通するための開口部０５３とを設けている。
【０００６】
第２の回路基板０６には、Ｕ字状の切り欠き部からなる第２の位置決め部０６１と、第１の回路基板０５側に突出し第１のコネクタ部材０５２に挿入接続される第２のコネクタ部材０６２と、第１のネジ孔０６３とを設けている。
【０００７】
ケース体０７には、複数の第１〜第４のボス０７１〜０７４を設け、第１，第２のボス０７１，０７２の先端部分には第１の位置決め部０５１に嵌入して第１の回路基板０５を位置決め保持する細い突出ピン形状からなる第１の位置決め保持部０７５を設け、第３，第４のボス０７３，０７４の先端部分には第２の位置決め部０６１に嵌入して第２の回路基板０６を位置決め保持する細いピン形状からなる第２の位置決め保持部０７６を突出形成すると共に、第２の回路基板０６に設けられた第１のネジ孔０６３に対応する第３，第４のボス０７３，０７４箇所に第２のネジ孔０７７を設けている。
【０００８】
そして、ケース体０７に設けられた第３，第４のボス０７３，０７４とを第１の回路基板０５に設けた開口部０５３を介して挿通しつつ、第１の位置決め部０５１と第１の位置決め保持部０７５とを通じて第１の回路基板０５をケース体０７に位置決め保持すると共に、位置決め保持された第１の回路基板０５はネジ（図示せず）にてネジ止め保持される。このようにケース体０７に位置決め保持されている第１の回路基板０５に第２の回路基板０６を重ねることにより第１のコネクタ部材０５２に第２のコネクタ部材０６２を挿入接続すると共に第２の位置決め部０６１に対して第２の回路基板０６に設けた第２の位置決め保持部０７６を位置決め嵌入することによって第２の回路基板０６をケース体０７に位置決め保持し、さらに第１のネジ孔０６３と第２のネジ孔０７７とからなるネジ止め固定部Ｆを通じてネジＢにて第２の回路基板０６をケース体０７にネジ止め固定してなるものである。
【０００９】
第２の回路基板０６を第１の回路基板０５が位置決め保持されたケース体０７に組み付ける際、まず最初に第２の位置決め部０６１が第２の位置決め保持部０７６によって位置決めされ（図６参照）、さらに第２の回路基板０６を第１の回路基板０５側に移動することにより、第１，第２のコネクタ部材０５２，０６２同志が適正挿入状態となるまで挿入される。その後、第１のネジ孔０６３と第２のネジ孔０７７とからなるネジ止め固定部Ｆを通じて第２の回路基板０６をケース体０７にネジ止め固定する。
【００１０】
ここで、第２の位置決め部０６１は、第２の回路基板０６をケース体０７に組み付ける際の案内ガイドとしての機能と、第２の回路基板０６をネジＢにてケース体０７にネジ止め固定する際に第２の回路基板０６の連れ回りを防止する回転規制部としての機能を果たす。
【特許文献１】特開２００５−０３７２３８号公報
【発明の開示】
【発明が解決しようとする課題】
【００１１】
しかしながら、前記従来例では、第２の回路基板０６をケース体０７に組み付ける際、第２の位置決め部０６１が第２の位置決め保持部０７６によって位置決めされた後、第１，第２のコネクタ部材０５２，０６２の各先端部同志が接触する構成であるため、第１の回路基板０５に対する第２の回路基板０６の位置が第２の位置決め保持部０７６によって規制されてしまうため、部品自体の寸法のばらつきや実装される部品の組み付け位置のばらつき等によって第１，第２のコネクタ部材０５２，０６２同志の挿入が円滑に行えず、組み付けに手間取ることがあった。
【００１２】
本発明は前述した問題点に着目し、組み付け性の良好な表示装置を提供するものである。
【課題を解決するための手段】
【００１３】
本発明は、前述した課題を解決するため、所定情報を表示する表示手段と、この表示手段と電気接続される第１の回路基板と、この第１の回路基板に対して間隔を空けて積層され前記第１の回路基板と電気接続される第２の回路基板と、これら第１，第２の回路基板と前記表示手段を結合させるケース体とを有し、前記第１の回路基板に第１の位置決め部と、前記第２の回路基板側に突出する第１のコネクタ部材とを設け、前記第２の回路基板に第２の位置決め部と、第１のネジ孔と、前記第１の回路基板側に突出し前記第１のコネクタ部材に挿入接続される第２のコネクタ部材とを設け、前記ケース体に前記第１の位置決め部を通じて前記第１の回路基板を位置決め保持する第１の位置決め保持部と、前記第２の位置決め部を通じて前記第２の回路基板を位置決め保持する第２の位置決め保持部と、前記第１のネジ孔に対応する第２のネジ孔とを設け、前記第１の位置決め部と前記第１の位置決め保持部とを通じて前記第１の回路基板を前記ケース体に位置決め保持し、このように前記ケース体に位置決め保持された前記第１の回路基板に前記第２の回路基板を重ねることにより前記第１のコネクタ部材に前記第２のコネクタ部材を挿入接続すると共に前記第２の位置決め部を前記第２の位置決め保持部に嵌入することにより前記第２の回路基板を前記ケース体に位置決め保持し、さらに前記第１のネジ孔と前記第２のネジ孔とからなるネジ止め固定部を通じて前記第２の回路基板を前記ケース体にネジ止め固定してなる表示装置において、前記第２の回路基板を前記第１の回路基板が位置決め保持された前記ケース体に組み付ける際、前記第２の回路基板が位置決めされるより先に前記第１，第２のコネクタ部材の各先端部同志が接触し、且つ前記第１，第２のコネクタ部材同志が適正挿入状態となった時に前記第２の回路基板が位置決めされることを特徴とする。
これによれば、第２の回路基板をケース体に組み付ける際、第２の位置決め部が第２の位置決め保持部に嵌入することにより第２の回路基板が位置決めされるより先に第１，第２のコネクタ部材の各先端部同志が接触するため、第１，第２のコネクタ部材同志の位置合わせ時に第２の回路基板が位置決めフリーな状態となり、これにより第１，第２のコネクタ部材同志の位置合わせが優先されるため、第１，第２のコネクタ部材同志の挿入を円滑に行うことができ、組み付け性を良好となし得る。また第１，第２のコネクタ部材同志が適正挿入状態となった時に第２の位置決め部が第２の位置決め保持部に嵌入することにより第２の回路基板が位置決めされることにより、第２の回路基板をネジ止め固定する際の連れ回りを防止でき、これにより第１，第２のコネクタ部材の接続部にストレスが加わることを防止できる。
【００１４】
また本発明は、前記第２の位置決め部と前記第２の位置決め保持部が前記ネジ止め固定部よりも外側に位置することを特徴とする。
これによれば、第２の回路基板をケース体にネジ止め固定する際に第２の回路基板の連れ回りをより効果的に防止することができる。
【００１５】
また本発明は、前記第２の位置決め部が孔または切り欠きからなり、前記第２の位置決め保持部が前記第２の位置決め部を嵌入する突出部からなることを特徴とする。
これによれば、簡単な構成にて第２の回路基板を位置決めすることができる。
【発明の効果】
【００１６】
本発明によれば、初期の目的を達成することができ、組み付け性の良好な表示装置を提供することができる。
【発明を実施するための最良の形態】
【００１７】
以下、本発明の実施の形態について添付図面を用いて説明する。
【００１８】
図１から図４は、本発明による表示装置の一実施形態を示すもので、図１は本実施形態による表示装置の組み付け完了状態を示す断面図（ハッチングは省略）、図２は図１中、第１、第２の回路基板を矢印Ａ方向から見たときの要部平面図、図３は図１の要部分解断面図（ハッチングは省略）、図４は組み付け途中を示す要部分解断面図（ハッチングは省略）である。
【００１９】
図１〜図３において、表示装置は、例えば指針１と表示板２とステッピングモータからなる駆動源３とで所定情報として例えば車速を示す指針式計器（表示手段）４と、この指針式計器４と電気接続される第１の回路基板５と、この第１の回路基板５に対して間隔を空けて積層され第１の回路基板５と電気接続される第２の回路基板６と、これら第１，第２の回路基板５，６と指針式計器５を結合させるケース体７と、これら各構成要素を収納するハウジングＨとを有している。
【００２０】
第１の回路基板５は、周知の硬質回路基板からなり、貫通孔からなる第１の位置決め部５１と、第２の回路基板６側に突出する第１のコネクタ部材５２と後述するケース体７に突出形成されたボスを挿通するための開口部５３とが設けられている。
【００２１】
第２の回路基板６も周知の硬質回路基板からなり、第２の回路基板６の外周部から内側に向けてＵ字状に切り欠き形成された第２の位置決め部６１と、第１の回路基板５側に突出し第１のコネクタ部材５２に挿入接続される第２のコネクタ部材６２と、第１のネジ孔６３とが設けられている。
【００２２】
ケース体７は、例えば合成樹脂からなり、表示板２側とは反対側に延びる複数の第１〜第４のボス７１〜７４が一体に設けられている。
【００２３】
第１，第２のボス７１，７２の先端部分には、第１の位置決め部５１に嵌入して第１の回路基板５を面方向に位置決め保持する径小な突出ピン形状からなる第１の位置決め保持部７５が一体に設けられている。なお第１の回路基板５の厚み方向の位置決めは、第１，第２のボス７１，７２から一体に第１の位置決め保持部７５を突出形成することにより設けられた段部にて行うようにしている。
【００２４】
また第３，第４のボス７３，７４の先端部分には、第２の位置決め部６１に嵌入して第２の回路基板６を面方向に位置決め保持する突出ピン（突出部）形状の第２の位置決め保持部７６が突出形成されると共に、第２の回路基板６に設けられた第１のネジ孔６３位置に合わせて第２のネジ孔７７が設けられている。なお第２の回路基板６の厚み方向の位置決めは、第３，第４のボス７３，７４から一体に第２の位置決め保持部７６を突出形成することにより設けられた段部にて行うようにしている。
【００２５】
また第２の位置決め保持部７６は、第２のネジ孔７７が配置された位置に対して外側に位置して設けられている。
【００２６】
このように構成される表示装置の組み付け例は以下の通りである。なお、指針式計器４は予めケース体７に組み付けられているものとする。
【００２７】
まず、第１の回路基板５をケース体７に背後から組み付ける。この際、ケース体７に設けられた第３，第４のボス７３，７４とを第１の回路基板５に設けた開口部５３を介して挿通しつつ、第１の位置決め部５１と第１の位置決め保持部７５とを通じて第１の回路基板５がケース体７に位置決め保持されると共にネジ（図示せず）にてネジ止め保持される。
【００２８】
次に、第２の回路基板６をケース体７及び第１の回路基板５に組み付ける。この際、ケース体７に位置決め保持された第１の回路基板５に対し、第２の回路基板６をケース体７の背後から重ねるように移動させ、まず最初に第１のコネクタ部材５２と第２のコネクタ部材６２との相対向する各々の先端部を接触させて位置合わせする（図４参照）。この時、第２の位置決め部６１は第２の位置決め保持部７６に嵌入されず、位置決めフリーな状態となる。
【００２９】
この後、さらに第２の回路基板６を第１の回路基板５側に移動させると、第２の位置決め部６１が第２の位置決め保持部７６に嵌入して第２の回路基板６がケース体７に対して面方向に位置決めされ、その状態を維持しながらさらに第２の回路基板６を移動させると、第２の回路基板６が第３，第４のボス７３，７４の段部に当接する。この当接状態が第１，第２のコネクタ部材５２，６２同志が適正挿入状態となるように設定されており、これにより第２の回路基板６の位置決めが完了する。
【００３０】
なおこの場合、第１，第２のコネクタ部材５２，６２のうち、第２のコネクタ部材６２の開口端内周には、傾斜面からなる誘い込み部６２ａが形成され、両コネクタ部材５２，６２を位置合わせしやすく設定している。なおこのような誘い込み部６２ａは、第１のコネクタ部材５２に設けてもよい。また第２の位置決め部６１と第２の位置決め保持部７６とは、第１，第２のコネクタ部材５２，６２の位置合わせ後に第２の回路基板６を位置決め保持できるように若干の寸法的余裕を有して嵌入するように設定されている。
【００３１】
最後に第２の回路基板６に設けられた第１のネジ孔６３とケース体７に設けられた第２のネジ孔７７とからなるネジ止め固定部Ｆを通じてネジＢにて第２の回路基板６をケース体７にネジ止め固定することにより組み付けが完了する。
【００３２】
ここで、第２の位置決め部６１は、第２の回路基板６をケース体７に組み付ける際の案内ガイドとしての機能と、第２の回路基板６をケース体７にネジ止め固定する際に第２の回路基板６の連れ回りによる位置ずれを防止する回転規制部としての機能を果たす。
【００３３】
以上のように本実施形態では、所定情報を表示する指針式計器（表示手段）４と、この指針式計器４と電気接続される第１の回路基板５と、この第１の回路基板５に対して間隔空けて積層され第１の回路基板５と電気接続される第２の回路基板６と、これら第１，第２の回路基板５，６と指針式計器４を結合させるケース体７とを有し、第１の回路基板５に第１の位置決め部５１と、第２の回路基板６側に突出する第１のコネクタ部材５２とを設け、第２の回路基板６に第２の位置決め部６１と、第１のネジ孔６３と、第１の回路基板５側に突出し第１のコネクタ部材５２に挿入接続される第２のコネクタ部材６２とを設け、ケース体７に第１の位置決め部５１を通じて第１の回路基板５を位置決め保持する第１の位置決め保持部７５と、第２の位置決め部６１を通じて第２の回路基板６を位置決め保持する第２の位置決め保持部７６と、第１のネジ孔６３に対応する第２のネジ孔７７とを設け、第１の位置決め部５１と第１の位置決め保持部７５とを通じて第１の回路基板５をケース体７に位置決め保持し、このようにケース体７に位置決め保持された第１の回路基板５に第２の回路基板６を重ねることにより第１のコネクタ部材５２に第２のコネクタ部材６２を挿入接続すると共に第２の位置決め部６１を第２の位置決め保持部７６に嵌入することにより第２の回路基板６をケース体７に位置決め保持し、さらに第１のネジ孔６３と第２のネジ孔７７とを通じて第２の回路基板６をケース体７にネジ止め固定することによりネジ止め固定部Ｆを形成してなる表示装置において、第２の回路基板６を第１の回路基板５が位置決め保持されたケース体７に組み付ける際、第２の位置決め部６１が第２の位置決め保持部７６に嵌入することによって第２の回路基板６がケース体７に位置決めされるより先に第１，第２のコネクタ部材５２，６２の各先端部同志が接触し、且つ第１，第２のコネクタ部材５２，６２同志が適正挿入状態となった時に第２の位置決め保持部７６に第２の位置決め保持部７６が嵌入されて第２の回路基板６がケース体７に位置決めさえるように、第２の位置決め保持部７６及び第１，第２のコネクタ部材５２，６２の寸法や位置を設定したことにより、第２の回路基板６をケース体７に組み付ける際、第２の回路基板６がケース体７に位置決めされるより先に第１，第２のコネクタ部材５２，６２の各先端部同志が接触するため、第１，第２のコネクタ部材５２，６２同志の位置合わせ時に第２の回路基板６が位置決めフリーな状態となり、これにより第１，第２のコネクタ部材５２，６２同志の位置合わせが優先されるため、第１，第２のコネクタ部材５２，６２同志の挿入を円滑に行うことができ、組み付け性を良好となし得る。
【００３４】
また第１，第２のコネクタ部材５２，６２同志が適正挿入状態となった時に第２の回路基板６がケース７の第２の位置決め保持部７６を基準として位置決め保持されることにより、第２の回路基板６をネジ止め固定する際の連れ回りを防止でき、これにより第１，第２のコネクタ部材５２，６２の接続部にストレスが加わるのを防止できる。
【００３５】
また本実施形態では、第２の位置決め部６１と第２の位置決め保持部７６が、第２の回路基板６に設けられた第１のネジ孔６３とケース体７に設けられた第２のネジ孔７７とからなるネジ止め固定部Ｆよりも外側に位置することにより、第２の回路基板６をケース体７にネジ止め固定する際に第２の回路基板６の連れ回りによる位置ずれをより効果的に防止することができる。
【００３６】
また本実施形態では、第２の位置決め部６１が孔または切り欠きからなり、第２の位置決め保持部７６が第２の位置決め部６１を嵌入する突出部からなることにより、簡単な構成にて第２の回路基板６を位置決めすることができる。
【００３７】
なお第２の回路基板６を第１の回路基板５が位置決め保持されたケース体７に組み付ける際、第２の位置決め部６１が第２の位置決め保持部７６によって位置決めされるより先に第１，第２のコネクタ部材５２，６２の各先端部同志が接触し、且つ第１，第２のコネクタ部材５２，６２同志が適正挿入状態となった時に第２の位置決め保持部７６に嵌入される構成であれば、任意の構成を採用できる。
【図面の簡単な説明】
【００３８】
【図１】本発明の一実施形態による表示装置の組み付け完了状態を示す断面図。
【図２】図１中、第１、第２の回路基板を矢印Ａ方向から見たときの要部平面図。
【図３】図１の要部分解断面図。
【図４】同実施形態の組み付け途中を示す要部分解断面図。
【図５】本発明の従来例を示す表示装置の断面図。
【図６】従来例の組み付け途中を示す要部分解断面図
【符号の説明】
【００３９】
１  指針
２  表示板
３  駆動源
４  指針式計器（表示手段）
５  第１の回路基板
６  第２の回路基板
７  ケース体
５１  第１の位置決め部
５２  第１のコネクタ部材
６１  第２の位置決め部
６２  第２のコネクタ部材
６２ａ  誘い込み部
６３  第１のネジ孔
７１〜７４  第１〜第４のボス
７５  第１の位置決め保持部
７６  第２の位置決め保持部
７７  第２のネジ孔
Ｂ  ネジ
Ｆ  ネジ止め固定部
Ｈ  ハウジング
【図１】
2010151498.tif 000003
【図２】
2010151498.tif 000004
【図３】
2010151498.tif 000005
【図４】
2010151498.tif 000006
【図５】
2010151498.tif 000007
【図６】
2010151498.tif 000008